(57)【要約】【課題】強度を強くし、ビニールハウス内全体で熱又は空気を自然に移動し易くする。【解決手段】ビニールハウス用の骨組み１０６は、設置面Ｐにおいて円周上に間隔を空けて設置されて、当該設置面から上方へ延びる複数の第１側壁骨組み部１１０と、複数の第１側壁骨組み部１１０のそれぞれに接続して上内方へ延びる複数の第１屋根骨組み部１１１と、複数の第１屋根骨組み部１１１に取り付けられ、複数の第１屋根骨組み部１１１よりも上方へ突き出す第１頂部構造体１１２とを備える。第１頂部構造体１１２は、複数の第１側壁骨組み部１１０及び第１頂部構造体１１２によって囲まれた第１内部１０４と外部１０５とを連通するための第１開口を形成する第１換気部１１９を含む。【選択図】図２
2020130127.tif 000002
【特許請求の範囲】
【請求項１】
設置面において円又は楕円の周上に間隔を空けて設置されて、当該設置面から上方へ延びる複数の第１側壁骨組み部と、
前記複数の第１側壁骨組み部のそれぞれに接続して上内方へ延びる複数の第１屋根骨組み部と、
前記複数の第１屋根骨組み部に取り付けられ、前記複数の第１屋根骨組み部よりも上方へ突き出す第１頂部構造体とを備え、
前記第１頂部構造体は、前記複数の第１側壁骨組み部及び前記第１頂部構造体によって囲まれた第１内部と外部とを連通するための第１開口を形成する第１換気部を含む
ことを特徴とするビニールハウス用骨組み。
【請求項２】
前記複数の第１屋根骨組み部は、前記第１頂部構造体から放射状に延びて前記複数の第１側壁骨組み部のそれぞれに接続する
ことを特徴とする請求項１に記載のビニールハウス用骨組み。
【請求項３】
前記第１頂部構造体は、
前記複数の第１屋根骨組み部の上端部に接続されて上方へ延びる筒状の部材であって、当該部材を側方へ貫通する前記第１開口を形成する前記第１換気部が設けられた胴部と、
前記胴部の上方の少なくとも一部を覆うように前記胴部の上端部に取り付けられる頂部骨組み部とを含む
ことを特徴とする請求項１又は２に記載のビニールハウス用骨組み。
【請求項４】
前記複数の第１換気部よりも下方にて前記胴部から側方へ延びる換気補助骨組み部をさらに含む
ことを特徴とする請求項３に記載のビニールハウス用骨組み。
【請求項５】
前記第１頂部構造体は、
前記複数の第１屋根骨組み部の上端部に接続されて上方へ延びる筒状の部材であって、上端部が前記第１換気部として開放した前記第１開口を形成する胴部と、
前記第１換気部を開閉する蓋部とを含む
ことを特徴とする請求項１又は２に記載のビニールハウス用骨組み。
【請求項６】
前記第１内部にて栽培される植物を支持するために、前記複数の第１側壁骨組み部の少なくとも一部の第１側壁骨組み部の間に架け渡される棚部材をさらに備える
ことを特徴とする請求項１から５のいずれか１項に記載のビニールハウス用骨組み。
【請求項７】
環状に形成されて前記複数の第１屋根骨組み部に取り付けられるパイプであって、前記第１内部へ散水するための複数の散水口が設けられた散水パイプをさらに備える
ことを特徴とする請求項１から６に記載のビニールハウス用骨組み。
【請求項８】
前記複数の第１側壁骨組み部と前記複数の第１屋根骨組み部との一方又は両方に固定された、太陽光発電パネルを磁力で取り付けるための発電パネル取付部をさらに備える
ことを特徴とする請求項１から７に記載のビニールハウス用骨組み。
【請求項９】
設置面において円又は楕円の周上に間隔を空けて設置されて、当該設置面から上方へ延びる複数の第２側壁骨組み部と、
前記複数の第２側壁骨組み部のそれぞれに接続して上内方へ延びる複数の第２屋根骨組み部と、
前記複数の第２屋根骨組み部に取り付けられ、前記複数の第２屋根骨組み部よりも上方へ突き出す第２頂部構造体と、
前記第１内部と、前記第２側壁骨組み部及び前記第２頂部構造体によって囲まれた第２内部とを連通する連通口を形成する連通部とを備え、
前記第２頂部構造体は、前記第２内部と前記外部とを連通するための第２開口を形成する第２換気部を含む
ことを特徴とする請求項１から８に記載のビニールハウス用骨組み。
【請求項１０】
請求項１から８に記載のビニールハウス用骨組みと、
前記第１側壁骨組み部に取り付けられるシートである第１側壁シートと、
前記第１屋根骨組み部に取り付けられるシートである第１屋根シートとを備える
ことを特徴とするビニールハウス。
【請求項１１】
請求項９に記載のビニールハウス用骨組みと、
前記第１側壁骨組み部及び前記第２側壁骨組み部のそれぞれに取り付けられるシートである第１側壁シート及び第２側壁シートと、
前記第１屋根骨組み部及び前記第２屋根骨組み部のそれぞれに取り付けられるシートである第１屋根シート及び第２屋根シートととを備える
ことを特徴とするビニールハウス。
【請求項１２】
直線状に延びる複数の第１側壁骨組み部と当該複数の第１側壁骨組み部のそれぞれに湾曲又は屈曲して接続して直線状に延びる複数の第１屋根骨組み部とを、前記複数の第１側壁骨組み部が設置面において円又は楕円の周上に間隔を空けて当該設置面から上方へ延び、かつ、前記複数の第１屋根骨組み部が上内方へ延びるように前記設置面に設置することと、
前記複数の第１屋根骨組み部よりも上方へ突き出すように第１頂部構造体を前記複数の第１屋根骨組み部に取り付けることとを含み、
前記第１頂部構造体は、前記複数の第１側壁骨組み部及び前記第１頂部構造体によって囲まれた第１内部と外部とを連通するための第１開口を形成する第１換気部を含む
ことを特徴とするビニールハウス用骨組みの設置方法。
【請求項１３】
請求項１２に係るビニールハウス用骨組みの設置方法によってビニールハウス用骨組みを設置することと、
前記設置されたビニールハウス用骨組みにシートを取り付けることとを含む
ことを特徴とするビニールハウスの設置方法。
【発明の詳細な説明】
【技術分野】
【０００１】
本発明は、ビニールハウス用骨組み、ビニールハウス、ビニールハウス用骨組みの設置方法及びビニールハウスの設置方法に関する。
【背景技術】
【０００２】
ビニールハウスは、一般的に、農業や園芸用に利用されており、概ね、農地に固定される骨組みと、この骨組みに取り付けられるビニールシートとから構成される。ビニールハウスには、いわゆるアーチ形（長く延在する棟から側方へ湾曲して垂れ下がる屋根と、当該屋根の下端部から地面へ向かって下方へ延びる側壁とを含む形状）のものが多い。
【０００３】
ビニールハウスは、通常、屋外に設置されるので、台風、突風、大雪などで倒壊することがある。その対策として、ビニールハウスの強度を向上させるための構造が種々提案されている。
【０００４】
例えば特許文献１では、内側縦パイプと外側縦パイプとを連結金具を介して連結した縦フレームを、棟方向へ配置した横パイプに間隔をあけて複数連結して屋根面部及び側面部を構成するビニールハウスの骨組構造が提案されている。
【０００５】
特許文献１の記載によれば、縦フレームは、左右一組の片側縦フレームの上端部同士が屋根面部の中央で継手材を介して連結されて構成される。また、継手材は、それぞれ略山形形状に形成され、左右一組の片側縦フレームの各内側縦パイプ同士を連結する第１連結体と各外側縦パイプ同士を連結する第２連結体とが、所定長さの連結材で連結される。
【先行技術文献】
【特許文献】
【０００６】
【特許文献１】特開２０１２−２３９６９号公報
【発明の概要】
【発明が解決しようとする課題】
【０００７】
しかしながら、特許文献１に記載のビニールハウスの骨組構造を設置するには、連結金具で連結された内外二重のパイプからなる片側縦フレームを設け、さらに継手材を用いて片側縦フレームを連結する必要があると考えられる。このように、特許文献１に記載のビニールハウスの骨組構造では、強度を上げるために二重構造の骨組構造を採用している。これによれば、アーチ形で一重構造の骨組構造よりも強度は強くなると考えられるが、二重構造を採用することで、設置作業に手間が掛かり、設置コストが高くなる。一重構造であっても、アーチ形で一重構造の骨組構造よりも強度が強ビニールハウス用骨組みやビニールハウスが望まれている。
【０００８】
また、特許文献１に記載のビニールハウスの骨組構造を採用したビニールハウスは、棟方向へ長いものとなる。そのため、ビニールハウス内（以下、単に「ハウス内」ともいう。）の熱や空気は、特に棟方向に自然には移動し難く、熱や空気の移動を促すための換気装置の運転コストが高くなる。そのため、ハウス内全体で熱又は空気が自然に移動し易いビニールハウス用骨組みやビニールハウスが望まれている。
【０００９】
本発明は、強度を強くし、ビニールハウス内全体で熱又は空気を自然に移動し易くすることが可能なビニールハウス用骨組み、ビニールハウス及びそれらの設置方法を提供することを目的とする。
【課題を解決するための手段】
【００１０】
上記目的を達成するため、本発明の第１の観点に係るビニールハウス用骨組みは、
設置面において円又は楕円の周上に間隔を空けて設置されて、当該設置面から上方へ延びる複数の第１側壁骨組み部と、
前記複数の第１側壁骨組み部のそれぞれに接続して上内方へ延びる複数の第１屋根骨組み部と、
前記複数の第１屋根骨組み部に取り付けられ、前記複数の第１屋根骨組み部よりも上方へ突き出す第１頂部構造体とを備え、
前記第１頂部構造体は、前記複数の第１側壁骨組み部及び前記第１頂部構造体によって囲まれた第１内部と外部とを連通するための第１開口を形成する第１換気部を含む。
【００１１】
上記目的を達成するため、本発明の第２の観点に係るビニールハウスは、
前記ビニールハウス用骨組みと、
前記第１側壁骨組み部に取り付けられるシートである第１側壁シートと、
前記第１屋根骨組み部に取り付けられるシートである第１屋根シートとを備える。
【００１２】
上記目的を達成するため、本発明の第３の観点に係るビニールハウス用骨組みの設置方法は、
直線状に延びる複数の第１側壁骨組み部と当該複数の第１側壁骨組み部のそれぞれに湾曲又は屈曲して接続して直線状に延びる複数の第１屋根骨組み部とを、前記複数の第１側壁骨組み部が設置面において円又は楕円の周上に間隔を空けて当該設置面から上方へ延び、かつ、前記複数の第１屋根骨組み部が上内方へ延びるように前記設置面に設置することと、
前記複数の第１屋根骨組み部よりも上方へ突き出すように第１頂部構造体を前記複数の第１屋根骨組み部に取り付けることとを含み、
前記第１頂部構造体は、前記複数の第１側壁骨組み部及び前記第１頂部構造体によって囲まれた第１内部と外部とを連通するための第１開口を形成する第１換気部を含む。
【００１３】
上記目的を達成するため、本発明の第４の観点に係るビニールハウスの設置方法は、
前記ビニールハウス用骨組みの設置方法によってビニールハウス用骨組みを設置することと、
前記設置されたビニールハウス用骨組みにシートを取り付けることとを含む。
【発明の効果】
【００１４】
本発明によれば、強度を強くし、ビニールハウス内全体で熱又は空気を自然に移動し易くすることが可能になる。
【図面の簡単な説明】
【００１５】
【図１】本発明の実施の形態１に係るビニールハウスの正面図である。
【図２】（ａ）は実施の形態１に係るビニールハウスの前後方向の概ね中央における正面断面図であり、（ｂ）は（ａ）の一点鎖線ｂで囲まれた部分の拡大図、（ｃ）は（ａ）の一点鎖線ｃで囲まれた部分の拡大図である。
【図３】実施の形態１に係る骨組みの正面図である。
【図４】実施の形態１に係る骨組みの平面図である。
【図５】実施の形態１に係る骨組みの右側面図である。
【図６Ａ】本発明の実施の形態１に係るビニールハウスの設置方法の流れを示す図である。
【図６Ｂ】図６Ａに示す骨組み設置工程の流れの詳細を示す図である。
【図７】変形例１に係る第１頂部構造体を示す図であって、（ａ）はその正面図であり、（ｂ）はその平面図であり、（ｃ）は（ｂ）のＶＩＩｃ−ＶＩＩｃ線における断面図であって、蓋部により第１換気部が塞がれた状態を示す図であり、（ｄ）は（ｃ）と同様の断面図であって、第１換気部が開放された状態を示す図である。
【図８】変形例２に係る骨組みを示す図であって、（ａ）は棚部材が設けられたビニールハウスの、図２に相当する箇所における断面図であり、（ｂ）は当該棚部材の平面図である。
【図９】変形例３に係るビニールハウスの正面図である。
【図１０】本発明の実施の形態２に係るビニールハウスの平面図である。
【図１１】図１０のＸＩ−ＸＩ線における断面図である。
【図１２】図１０のＸＩＩ−ＸＩＩ線における断面図である。
【図１３Ａ】本発明の実施の形態２に係るビニールハウスの設置方法の流れを示す図である。
【図１３Ｂ】図１３Ａに示す骨組み設置工程の流れの詳細を示す図である。
【図１４】変形例４に係るビニールハウスの平面図である。
【発明を実施するための形態】
【００１６】
以下、本発明の実施の形態について、図面を参照しつつ説明する。全図を通じて同一の要素には同一の符号を付す。
【００１７】
＜実施の形態１＞
（実施の形態１に係るビニールハウス１００の構成）
本発明の実施の形態１に係るビニールハウス１００は、設置面Ｐに設置されて、農業、園芸などに利用される施設である。設置面Ｐは、典型的には農地の地面である。設置面Ｐが向く方向が上方であり、この逆方向が下方である。
【００１８】
ビニールハウス１００は、図１及び２に示すように、概ね、円筒状の第１側壁１０１、当該第１側壁１０１の上端に接続して上方へ突き出た円錐台状の第１屋根１０２、及び、当該第１屋根１０２の中央にて上方に突き出た第１頂部１０３を含む。これによって、ビニールハウス１００の室内空間である第１内部１０４と外部１０５とを区分し、第１内部１０４において管理された環境で作物などの植物を育成することができる。
【００１９】
ここで、図１は、ビニールハウス１００の正面図である。図２（ａ）は、ビニールハウス１００の前後方向の概ね中央における正面断面図であり、（ｂ）は（ａ）の一点鎖線ｂで囲まれた部分の拡大図、（ｃ）は（ａ）の一点鎖線ｃで囲まれた部分の拡大図である。
【００２０】
ビニールハウス１００は、概ね、骨組み１０６と、ビニールシート１０７と、第１ドア１０８とを備える。
【００２１】
骨組み１０６は、ビニールハウス用骨組みであって、ビニールハウス１００の基礎的な構造をなす。骨組み１０６は、金属パイプ、金属筒、金属板などを連結することで構成され、下端部が設置面Ｐに固定される。金属パイプ同士の連結、金属パイプと金属筒との連結、或いは、金属パイプと金属板との連結には、嵌め合わせや、ネジ止め、ボルト及びナットの嵌合、連結具（図示せず）などが利用される。この種の連結具は、例えば、一般にジョイント、クランプなどと称される部材である。なお、骨組み１０６の材料は、金属に限られず、樹脂などであってもよい。
【００２２】
骨組み１０６は、図３〜５に示すように、概ね、第１ドア枠部１０９と、複数の第１側壁骨組み部１１０と、複数の第１屋根骨組み部１１１と、第１頂部構造体１１２と、第１散水パイプ１１３とを備える。
【００２３】
ここで、図３〜５は、それぞれ、骨組み１０６の正面図、平面図、右側面図である。
【００２４】
第１ドア枠部１０９は、ビニールハウス１００の第１内部１０４と外部１０５との間を接続する出入り口を第１側壁１０１の一部に形成する部位であって、第１ドア１０８が取り付けられる。本実施の形態に係る第１ドア枠部１０９は、上下左右の辺部を接続した概ね矩形をなす部材から構成される。第１ドア枠部１０９は、下端から複数の脚部（図示せず）が下方へ延びており、この脚部が埋められることで設置面Ｐに固定される。
【００２５】
出入り口は、人が出入りするだけでなく、農具、農業用機械なども出入りさせるためのものであるので、これらが出入り可能な適宜の大きさで設けられるとよい。
【００２６】
本実施の形態では、第１ドア１０８の配置位置を前方として方向を規定している。実施の形態の説明では、方向を示す前後左右の用語を用いるが、これらは説明のために用いるのであって、本発明を限定する趣旨ではない。
【００２７】
なお、第１ドア枠部１０９は、設置面Ｐに対して固定されればよく、その方法は、脚部を埋めることに限られない。例えば、第１ドア枠部１０９が下方の辺部を含まず、左右の辺部の下端部が設置面Ｐに埋められて固定されてもよく、左右の辺部が第１側壁骨組み部１１０に固定されてもよい。また、第１ドア１０８が第１側壁骨組み部１１０に取り付けられてもよく、このように、第１ドア枠部１０９の一部（例えば、左右の辺部）又は全部が、別部材ではなく、第１側壁骨組み部１１０で構成されてもよい。
【００２８】
複数の第１側壁骨組み部１１０は、設置面Ｐに設置されて概ね円筒状の第１側壁１０１を構成するための骨組みであって、各々は例えば金属パイプで構成される。複数の第１側壁骨組み部１１０は、上方から見て、設置面Ｐにおいて概ね円周上に等間隔で設置されて、設置面Ｐから上方へ延びる。設置面Ｐに複数の第１側壁骨組み部１１０が設置される円周の直径は、典型的には３ｍ（メートル）〜６ｍ程度である。
【００２９】
なお、設置面Ｐに設置される複数の第１側壁骨組み部１１０を上方から見た形状は、円形に限られず、例えば楕円形であってもよく、この場合、複数の第１側壁骨組み部１１０は、設置面Ｐにおいて楕円の周上に間隔を空けて設置されることになる。また、設置面Ｐにおける複数の第１側壁骨組み部１１０の間隔は、等間隔に限られず、適宜変更されてもよい。
【００３０】
本実施の形態では、上方から見て、前後左右のそれぞれに配置される４本の第１側壁骨組み部１１０は、他の第１側壁骨組み部１１０よりも径が太い。そして、前方に配置される太い第１側壁骨組み部１１０は、第１ドア枠部１０９を配置するため、第１ドア枠部１０９の上辺部（上部）から上方に延びている。
【００３１】
言い換えると、前方に配置される太い第１側壁骨組み部１１０は、予め定められた高さから下方には設けられていない。これによって、前方に配置される太い第１側壁骨組み部１１０の左右に配置された第１側壁骨組み部１１０の間に、第１ドア枠部１０９を設けるための空間（開口）が形成される。第１ドア枠部１０９は、この開口に嵌め付けられている。第１ドア枠部１０９は、例えば、前方に配置される太い第１側壁骨組み部１１０の左右に配置された第１側壁骨組み部１１０に適宜の締結具によって固定されもてよい。
【００３２】
前方の太い第１側壁骨組み部１１０を除く複数の第１側壁骨組み部１１０の各々は、下端が設置面Ｐに埋められることによって、設置面Ｐに固定されている。
【００３３】
複数の第１側壁骨組み部１１０は、上下２つの補強バンド部１１４で接続されている。補強バンド部１１４の各々は、薄い帯状の金属板であって、複数の第１側壁骨組み部１１０に内接するように湾曲した状態で、例えば複数の第１側壁骨組み部１１０の各々にボルト及びナットによって固定される。なお、複数の第１側壁骨組み部１１０の各々は、サドルバンドなどの連結具を補強バンド部１１４の各々にビス留めすることなどによって固定されてもよい。
【００３４】
下方の補強バンド部１１４は、その下端が設置面Ｐと接するか、又は設置面Ｐから僅かに（数センチメートル程度）上方に位置するように配置される。下方の補強バンド部１１４は、下端が設置面Ｐに埋められた第１側壁骨組み部１１０に内接する円弧状に湾曲している。
【００３５】
上方の補強バンド部１１４は、その下端が設置面Ｐから１８０ｃｍ（センチメートル）〜２１０ｃｍ程度の高さに位置するように配置される。上方の補強バンド部１１４は、複数の第１側壁骨組み部１１０に内接する円環状に湾曲している。
【００３６】
なお、補強バンド部１１４が設置される高さや数は、適宜変更されてもよい。
【００３７】
複数の第１屋根骨組み部１１１は、複数の第１側壁骨組み部１１０のそれぞれに接続して上内方へ延びる部位であって、各々は例えば金属パイプで構成される。ここで内方とは、上方から見て、複数の第１側壁骨組み部１１０が設置面Ｐにおいて設置される円周からその内部へ向かう方向である。
【００３８】
本実施の形態では、複数の第１屋根骨組み部１１１の各々は、上方から見て、複数の第１側壁骨組み部１１０が設置面Ｐにおいて設置される円周の中心へ向かって延びる。そして、複数の第１屋根骨組み部１１１の各々の上端部に、詳細後述する第１頂部構造体１１２が取り付けられる。
【００３９】
言い換えると、本実施の形態に係る複数の第１屋根骨組み部１１１は、円錐台状の第１屋根１０２を構成するように第１頂部構造体１１２から放射状に概ね直線的に斜め下方へ延びた後に、複数の第１側壁骨組み部１１０のそれぞれに接続するように下方へ向かって湾曲又は屈曲している。
【００４０】
互いに接続された第１屋根骨組み部１１１と第１側壁骨組み部１１０とは、適宜の箇所での嵌め合いなどで接続された金属パイプなどから構成される。
【００４１】
なお、互いに接続された第１屋根骨組み部１１１と第１側壁骨組み部１１０を構成する金属パイプは、嵌め合いではなく適宜の箇所で連結具などによって接続されてもよく、例えば１本の金属パイプを折り曲げることなどにより一体的に形成されてもよい。
【００４２】
第１頂部構造体１１２は、複数の第１屋根骨組み部１１１に取り付けられる部位であって、複数の第１屋根骨組み部１１１よりも上方へ突き出す。
【００４３】
本実施の形態に係る第１頂部構造体１１２は、上述の通り複数の第１屋根骨組み部１１１の上端部に取り付けられており、胴部１１５と、頂部骨組み部１１６と、換気補助骨組み部１１７とを含む。
【００４４】
胴部１１５は、概ね円筒状の部材であって、例えば湾曲させた薄い金属板をリベット、溶接などで互いに接続して作製される。胴部１１５には、複数の挿設孔部１１８と、複数の第１換気部１１９とが設けられる。
【００４５】
複数の挿設孔部１１８は、図２（ｂ）に示すように、複数の第１屋根骨組み部１１１の上端部がそれぞれに挿設される孔を形成する部位であって、胴部１１５の下端から予め定められた高さに概ね等間隔で周回状に設けられる。挿設孔部１１８に挿設された第１屋根骨組み部１１１の各々の上端部には、図２（ｂ）に示すように、胴部１１５の内部で第１屋根骨組み部１１１を径方向に貫通するピン１２０が概ね水平方向に挿設される。ピン１２０の両端が第１屋根骨組み部１１１の外部に突き出すことによって、第１屋根骨組み部１１１の各々の上端部は挿設孔部１１８から抜けないように係止される。
【００４６】
複数の第１換気部１１９の各々は、図２（ｃ）に示すように、第１内部１０４と外部１０５とを連通するための第１開口を形成する。第１開口は、胴部１１５を側方へ貫通する。
【００４７】
ここで、側方とは、上下方向と交差する方向である。また、第１内部１０４は、上述の通りビニールハウス１００の室内であり、ビニールシート１０７を除いた構造体である骨組み１０６においては、複数の第１側壁骨組み部１１０及び第１頂部構造体１１２によって概ね囲まれた空間である。
【００４８】
なお、第１換気部１１９は、１つであってもよい。
【００４９】
頂部骨組み部１１６は、４本の細長い帯状の金属板から構成される。頂部骨組み部１１６は、中心で互いに重なり合って湾曲しており、各端部が胴部１１５の上端部にネジ、リベット、溶接などで固定されている。これにより、複数の頂部骨組み部１１６は、上方から見て、複数の第１側壁骨組み部１１０が設置される設置面Ｐにおける円周の中心から等角度間隔で８方向へ延びるように放射状に延びて、胴部１１５の上方の一部を覆う。
【００５０】
換気補助骨組み部１１７は、胴部１１５から側方へ延びる部材であって、複数の第１換気部１１９よりも下方、かつ、複数の挿設孔部１１８よりも上方に設けられる。本実施の形態に係る換気補助骨組み部１１７は、胴部１１５から側方へ放射状に延びる４本の棒状の部材であり、例えば、金属製で、溶接、ボルトなどにより一端が胴部１１５に固定されている。
【００５１】
なお、換気補助骨組み部１１７は、１本以上の棒状部材から構成されればよく、複数の棒状部材から構成される場合には当該複数の棒状部材の先端を接続する円環状部材をさらに含んでもよい。
【００５２】
第１散水パイプ１１３は、端部が予め定められた距離離間した略環状に形成されたパイプであって、複数の第１屋根骨組み部１１１に取り付けられる。第１散水パイプ１１３は、第１内部１０４（例えば、内下方）へ散水するための小孔である複数の散水口１２１が設けられている。第１散水パイプ１１３の一方の端部から水が供給されると、この水は、散水口１２１の各々から第１内部１０４へ散水され、残った水は、第１散水パイプ１１３の他方の端部から排水される。
【００５３】
第１散水パイプ１１３は、ジョイント、クランプなどの連結具（図示せず）で複数の第１屋根骨組み部１１１の各々に取り付けられるとよい。第１散水パイプ１１３を設けることで、第１内部１０４への散水が容易になるだけでなく、複数の第１屋根骨組み部１１１が補強される。
【００５４】
なお、第１散水パイプ１１３は、上下方向に多段になるように複数設けられてもよく、設けられなくてもよい。
【００５５】
ビニールシート１０７は、骨組み１０６に取り付けられるシートであって、ビニールで作られた透明或いは半透明の部材である。ビニールシート１０７は、図示しない取付具を用いて骨組み１０６に取り付けられるとよい。この取付具は、例えば、骨組みを構成するパイプの周囲の一部にビニールシート１０７を巻いた状態で嵌合する器具、当該パイプの周囲の一部をビニールシート１０７を巻いた状態で挟持する器具、ビニールシート１０７の下端を設置面Ｐに固定するための杭などである。
【００５６】
なお、骨組み１０６に取り付けられるシートの材料は、ビニールに限られず、その他の樹脂などであってもよい。また、このシートには、必要に応じて、不透明なものが採用されてもよい。
【００５７】
ビニールシート１０７は、図１及び２に示すように、第１側壁シート１２２と、第１屋根シート１２３と、第１頂部シート１２４とを含む。
【００５８】
第１側壁シート１２２は、複数の第１側壁骨組み部１１０に取り付けられるシートである。第１側壁シート１２２は、第１側壁骨組み部１１０とともに第１側壁１０１を構成する。本実施の形態では、第１側壁骨組み部１１０の本数が十分に多いため、第１側壁１０１は概ね円筒状になる。
【００５９】
第１屋根シート１２３は、複数の第１屋根骨組み部１１１に取り付けられるシートである。第１屋根シート１２３は、第１屋根骨組み部１１１とともに第１屋根１０２を構成する。本実施の形態では、第１屋根骨組み部１１１の本数が十分に多いため、第１屋根は概ね円錐台状になる。
【００６０】
なお、第１側壁骨組み部１１０の本数や第１側壁骨組み部１１０の本数が（例えばそれぞれ８本以下など）少ない場合、第１側壁１０１は角柱状になり、第１屋根１０２は角錐台状になる。
【００６１】
第１頂部シート１２４は、第１頂部構造体１１２を覆うためのシートであり、第１頂部構造体１１２とともに第１頂部１０３を構成する。
【００６２】
本実施の形態では、第１頂部シート１２４は、頂部骨組み部１１６と換気補助骨組み部１１７とを上方から覆う。
【００６３】
詳細には、第１頂部シート１２４は、放射状に延びる頂部骨組み部１１６のすき間を塞ぐように頂部骨組み部１１６に固定される。また、第１頂部シート１２４の外縁部近傍は、図示しない挟持部材などを用いて換気補助骨組み部１１７の各々の先端部に固定される。
【００６４】
第１頂部シート１２４が換気補助骨組み部１１７に取り付けられることによって、胴部１１５と第１頂部シート１２４との間にすき間が形成される。これにより、複数の第１換気部１１９が第１頂部シート１２４によって塞がれることを防止できる。
【００６５】
なお、頂部骨組み部１１６が平板状の部材などから構成されて、胴部１１５の上端開口を塞ぐように胴部１１５の上方を覆ってもよい。この場合、第１換気部１１９を通じて第１内部１０４に入り込む雨、風、雪などが、例えば作物の育成に影響しない程度の僅かなものであれば、第１頂部シート１２４は設けられなくてもよい。
【００６６】
第１側壁シート１２２と第１屋根シート１２３とは、複数のシートの端部を接続して構成されてもよく、予め定められた形状に切り出された１枚のシートから構成されてもよい。第１頂部シート１２４も、同様に、複数のシートを接続して構成されてもよく、１枚のシートから構成されてもよい。
【００６７】
第１ドア１０８は、第１ドア枠部１０９に嵌め込まれ、蝶番などで開閉可能に取り付けられる。
【００６８】
（実施の形態１に係るビニールハウスの設置方法）
本実施の形態に係るビニールハウスの設置方法は、図６Ａにその流れの一例を示すように、ビニールハウスを設置するための方法であって、骨組み１０６を設置するためのビニールハウス用骨組みの設置方法を含む。
【００６９】
ビニールハウスの設置方法は、例えば、ビニールハウス１００を構成する部材（骨組み１０６を構成する部材、ビニールシート１０７を構成する各シート１２２〜１２４、第１ドア１０８など）が準備され、設置面Ｐに第１側壁骨組み部１１０を設置するための円周が決定された後に開始される。なお、設置面Ｐにおいて第１側壁骨組み部１１０が設置される形状は、円形に限られず楕円であってもよい。
【００７０】
図６Ａに示すように、骨組み１０６が設置面Ｐに設置される（工程１１）。
【００７１】
骨組み設置工程（工程１１）の流れの詳細を図６Ｂに示す。同図に示すように、工程１１は、複数の第１側壁骨組み部１１０及び複数の第１屋根骨組み部１１１の設置工程（工程１１１）と、第１頂部構造体１１２の設置工程（工程１１２）と、第１ドア枠部１０９の取付工程（工程１１３）と、第１散水パイプ１１３の取付工程（工程１１４）とを含む。
【００７２】
工程１１１では、直線状に延びる複数の第１側壁骨組み部１１０と、当該複数の第１側壁骨組み部１１０のそれぞれに接続して湾曲又は屈曲した後に直線状に延びる複数の第１屋根骨組み部１１１とが、設置面Ｐに設置される。このとき、複数の第１側壁骨組み部１１０は、設置面Ｐにおいて予め定められた円周上に間隔を空けて下端が設置面Ｐに埋め込まれ、設置面Ｐから上方へ延びるように設置される。また、複数の第１屋根骨組み部１１１は、各々が上内方へ延びるように設置される。
【００７３】
第１側壁骨組み部１１０及び第１屋根骨組み部１１１は、複数のパイプなど複数の部材で構成される場合、工程１１１の前に予め接続されてもよく、工程１１１において接続されてもよい。また、工程１１１にて補強バンド部１１４が複数の第１側壁骨組み部１１０に取り付けられるとよい。
【００７４】
工程１１２では、第１頂部構造体１１２が、複数の第１屋根骨組み部１１１よりも上方へ突き出すように複数の第１屋根骨組み部１１１に取り付けられる。本実施の形態では、第１屋根骨組み部１１１の上端部のそれぞれを挿設孔部１１８に挿入し、第１屋根骨組み部１１１の上端部が胴部１１５の中に配置される。そして、第１屋根骨組み部１１１の上端部に設けられた貫通孔にピン１２０が挿入されることによって、第１屋根骨組み部１１１の上端部が挿設孔部１１８から抜け出さないように係止される。
【００７５】
工程１１３では、第１ドア枠部１０９が、複数の第１側壁骨組み部１１０に設けられた上述の開口に嵌め込まれ、その脚部が設置面Ｐに埋め込まれる。このとき、第１ドア枠部１０９は、左右の辺部に近接する第１側壁骨組み部１１０に固定されてもよい。
【００７６】
工程１１４では、第１散水パイプ１１３が複数の第１屋根骨組み部１１１に取り付けられる。第１散水パイプ１１３の取り付けには、上述したような適宜の連結具や取付具が用いられるとよい。
【００７７】
図６Ａに示すように、工程１１にて設置された骨組み１０６にビニールシート１０７が取り付けられる（工程１２）。
【００７８】
詳細には、第１頂部シート１２４が第１頂部構造体１１２に取り付けられる。そして、第１屋根シート１２３が第１屋根骨組み部１１１に取り付けられ、第１側壁シート１２２が第１側壁骨組み部１１０に取り付けられる。これらの各シート１２２〜１２４を取り付ける順序は適宜変更されてもよい。
【００７９】
工程１１にて設置された骨組み１０６に第１ドア１０８が取り付けられる（工程１３）。詳細には、第１ドア１０８は、第１ドア枠部１０９の左辺部又は右辺部に蝶番などで開閉可能に取り付けられる。
【００８０】
これにより、ビニールハウス１００が設置面Ｐに設置される。第１内部１０４の設置面Ｐには、例えば複数の同心環状の畝Ｑ１〜Ｑ３が設けられて、作物などが栽培される（図２（ａ）の断面図参照）。
【００８１】
このように、概ね、複数の第１側壁骨組み部１１０及び複数の第１屋根骨組み部１１１を設置面Ｐに設置し、第１頂部構造体１１２を第１屋根骨組み部１１１に取り付けることによって、骨組み１０６を設置することができる。骨組み１０６を構成する部材は比較的簡素な構造をしているため、その組み立ては容易である。
【００８２】
また、設置された骨組み１０６に、概ね、第１散水パイプ１１３及び第１ドア１０８を適宜取り付けた後にビニールシート１０７を取り付けることで、ビニールハウス１００を設置することができる。このように、本実施の形態に係る骨組み１０６及びビニールハウス１００によれば、これらを容易に設置することが可能になる。
【００８３】
これまで、本発明の実施の形態１について説明した。
【００８４】
本実施の形態によれば、骨組み１０６は、設置面Ｐにおいて円周上に間隔を空けて設置されて、設置面Ｐから上方へ延びる複数の第１側壁骨組み部１１０と、複数の第１側壁骨組み部のそれぞれに接続して上内方へ延びる複数の第１屋根骨組み部１１１とを備える。これらを備える骨組み１０６によって、円筒状の第１側壁１０１と、当該第１側壁１０１の上端に接続して上方へ突き出た円錐台状の第１屋根１０２とを含むビニールハウス１００を設置することができる。
【００８５】
ビニールハウス１００が、棟方向に長い形状ではなく、概ね円筒の上に円錐台を組み合わせた形状であるため、風がその周囲を通過し易く、風圧を軽減することができる。また、この形状によって、雪が屋根に積もった場合に、その重みは概ね均一に第１側壁１０１の全体に掛かるように分散されるので、局所的な荷重による倒壊などを防ぐことができる。そのため、骨組み１０６或いはビニールハウス１００の強度を強くすることができる。
【００８６】
また、ビニールハウス１００の基本的な形状は、上述の通り、円筒の上に円錐台を組み合わせた形状であり、第１内部１０４も同様である。そのため、第１内部１０４の熱又は空気は、概ね、中心近傍で上昇する場合は第１屋根１０２に当たって第１側壁１０１の内面近傍で下降し、第１側壁１０１の内面近傍で上昇した場合は第１屋根１０２に当たって中心近傍で下降する。このように自然対流で循環し易いため、熱又は空気が第１内部１０４（ビニールハウス内全体）を自然に移動し易い。
【００８７】
従って、本実施の形態によれば、強度が強く、熱又は空気がビニールハウス内全体を自然に移動し易い骨組み１０６、ビニールハウス１００及びそれらの設置方法を提供することが可能になる。
【００８８】
さらに、本実施の形態に係る骨組み１０６或いはビニールハウス１００を容易に設置可能なことは上述の通りである。
【００８９】
骨組み１０６は、さらに、第１頂部構造体１１２を備え、第１頂部構造体１１２は、第１内部１０４と外部１０５とを連通するための第１開口を形成する第１換気部１１９を含む。第１頂部構造体１１２は、複数の第１屋根骨組み部１１１よりも上方へ突き出すので、第１内部１０４における熱又は空気の自然な移動を阻害し難い。そして、第１換気部１１９を設けることで、外部１０５との換気をもよくすることができる。すなわち、第１頂部構造体１１２によって、外部１０５との換気を図りつつ、熱又は空気を第１内部１０４で自然に移動し易くすることが可能になる。
【００９０】
例えば、一般的に屋根に雪が積もった場合に、熱で雪を融かすためにビニールハウス内でモミ殻などを燃やすことがある。このような場合、ビニールハウス内の煙を外部へ放出するために、外部１０５との換気は有用である。
【００９１】
本実施の形態によれば、複数の第１屋根骨組み部１１１は、第１頂部構造体１１２から放射状に延びて複数の第１側壁骨組み部１１０のそれぞれに接続する。これにより、比較的簡素な構造で、円錐台状の第１屋根１０２の骨組みを構成することができる。従って、骨組み１０６或いはビニールハウス１００の設置をより容易にすることが可能になる。
【００９２】
本実施の形態によれば、第１頂部構造体１１２は、胴部１１５と頂部骨組み部１１６とを含む。胴部１１５は、複数の第１屋根骨組み部１１１の上端部に接続されて上方へ延びる筒状の部材であって、当該部材を側方へ貫通する第１開口を形成する第１換気部１１９が設けられる。頂部骨組み部１１６は、胴部１１５の上方の少なくとも一部を覆うように胴部１１５の上端部に取り付けられる。
【００９３】
このような構成によって、第１換気部１１９を通じて外部１０５との換気を図ることができる。従って、外部１０５との換気を図りつつ、熱又は空気を第１内部１０４で自然に移動し易くすることが可能になる。
【００９４】
本実施の形態によれば、骨組み１０６は、複数の第１換気部１１９よりも下方にて胴部１１５から側方へ延びる換気補助骨組み部１１７をさらに含む。
【００９５】
換気補助骨組み部１１７を設けることで、第１換気部１１９により形成される第１開口が第１頂部シート１２４で塞がれることを防いで、外部１０５との換気をより確実にすることができる。従って、外部１０５との換気をより確実に図りつつ、熱又は空気を第１内部１０４で自然に移動し易くすることが可能になる。
【００９６】
本発明に係る実施の形態１は、以下のように変形されてもよい。
【００９７】
（変形例１）
実施の形態１では、側方へ貫通する第１開口を形成する第１換気部１１９が胴部１１５に複数設けられる例を説明した。第１頂部構造体に第１換気部を設ける方法はこれに限られない。例えば、本変形例に係る第１頂部構造体２１２は、図７に示すように、第１換気部２１９を含む胴部２１５と、第１換気部２１９を開閉する蓋部２２５とを含む。本変形例に係る第１頂部構造体２１２は、実施の形態１に係る第１頂部構造体１１２に代えて採用することができる。
【００９８】
ここで、図７は、本変形例に係る第１頂部構造体２１２を示す図であって、（ａ）はその正面図、（ｂ）はその平面図である。図７（ｃ）は、図７（ｂ）のＶＩＩｃ−ＶＩＩｃ線における断面図であって、蓋部２２５により第１換気部２１９が塞がれた状態を示す。図７（ｄ）は、図７（ｃ）と同様の断面図であって、第１換気部２１９が開放された状態を示す。
【００９９】
胴部２１５は、実施の形態１と同様に構成される複数の第１屋根骨組み部１１１の上端部に接続されて上方へ延びる筒状の部材である。胴部２１５は、上方が第１換気部２１９として開放している。すなわち、胴部２１５の上端部が、第１換気部２１９として第１開口を形成する。
【０１００】
蓋部２２５は、第１換気部２１９を開閉するように胴部１１５の上端部に取り付けられる。本変形例に係る蓋部２２５は、概ね２つの半円平板から構成され、直径を形成する部分を中心として枢動可能に胴部２１５の上端部に固定されている。
【０１０１】
蓋部２２５の端部（左端部又は右端部）と胴部２１５の上端部（上方の左端部又は右端部）とは、折畳み可能な支持部材２２６で接続される。本変形例に係る支持部材２２６は、蝶番２２７で屈曲可能に接続された金属棒から構成され、支持部材２２６の上端部と下端部とは、それぞれ、蓋部２２５の端部と胴部２１５の上端部とに枢動可能に取り付けられている。支持部材２２６が折り畳まれた状態では第１換気部２１９は蓋部２２５で概ね塞がれ、支持部材２２６が伸展した状態では第１換気部２１９は開放される。なお、蓋部２２５の開閉は、支持部材２２６に限らず、モータ、他の部材などで制御されてもよい。
【０１０２】
本変形例では、蓋部２２５を閉じたときに第１頂部構造体２１２は概ねすき間なく構成されるので、雨、風、雪などが第１内部１０４に入り込んだとしても、それは例えば作物の育成に影響しない程度の僅かなものである可能性が高い。そのため、本変形例に係る第１頂部構造体２１２がビニールハウスに採用される場合、実施の形態１に係る第１頂部シート１２４及び換気補助骨組み部１１７は設けられなくてもよい。
【０１０３】
本変形例によっても、第１内部１０４と外部１０５とを連通するための第１開口を形成する第１換気部２１９を第１頂部構造体２１２に設けることができる。従って、実施の形態１と同様に、第１頂部構造体２１２によって、外部１０５との換気を図りつつ、熱又は空気を第１内部１０４で自然に移動し易くすることが可能になる。
【０１０４】
（変形例２）
変形例２に係るビニールハウス３００及び骨組み３０６は、図８に示すように、第１内部１０４にて栽培される作物Ｆなどを支持する（吊り下げ又は載せ置く）ために、複数の第１側壁骨組み部１１０の少なくとも一部の間に架け渡される棚部材３２８をさらに備える。この点を除いて、ビニールハウス３００及び骨組み３０６は、それぞれ、実施の形態１に係るビニールハウス１００及び骨組み１０６と同様に構成されるとよい。
【０１０５】
ここで、図８（ａ）は、棚部材３２８が設けられたビニールハウス３００の、図２に相当する箇所における断面図である。図８（ｂ）は、棚部材３２８の平面図である。棚部材３２８は、図８（ｂ）に示すように、設置面Ｐへの日当たりを確保するために、すき間を有する構造が望ましい。
【０１０６】
棚部材３２８を設けることで、設置面Ｐだけでなく、棚部材３２８も植物としての作物Ｆの栽培などに利用することができるので、第１内部１０４の空間を立体的に利用することができる。従って、同じ面積の設置面Ｐでより多くの作物Ｆの栽培などができるので、設置面Ｐを有効に利用することが可能になる。
【０１０７】
（変形例３）
ビニールハウスに太陽光発電パネルが取り付けられてもよい。本変形例に係るビニールハウス４００では、正面図である図９に示すように、実施の形態１に係るビニールハウス１００の第１側壁１０１及び第１屋根１０２に太陽光発電パネル４２９が取り付けられっている。なお、太陽光発電パネル４２９は、第１側壁１０１と第１屋根１０２とのいずれか一方のみに取り付けられてもよい。
【０１０８】
本変形例では、実施の形態１と同様の骨組み１０６にさらに、発電パネル取付部４３０が備えられる。発電パネル取付部４３０は、適宜の締結具などを用いて骨組み１０６の構成部材に固定される金属製の平板であり、この平面が骨組み１０６の外方において外方を向くように取り付けられる。
【０１０９】
太陽光発電パネル４２９には適宜の市販のものが採用されてよいが、例えば、縦が約３００〜１０００ｍｍ、横が約２０００ｍｍ、厚さが約３〜５ｍｍ程度で、重さが２〜６ｋｇ程度の軽量のものが望ましい。これによって、接着剤などで磁石を固定した太陽光発電パネル４２９を、第１屋根シート１２３及び第１側壁シート１２２を介在させて磁力で発電パネル取付部４３０に取り付けることができる。なお、発電パネル取付部４３０が磁石を含み、この発電パネル取付部４３０に磁力で取り付けるための金属板が太陽光発電パネル４２９に設けられてもよい。また、太陽光発電パネル４２９と太陽光発電パネル４２９とは、磁力に代えて面ファスナの接着力で取り付けられてもよく、この場合、太陽光発電パネル４２９は、樹脂などの素材で構成されてもよい。
【０１１０】
太陽光発電パネル４２９を取り付けることで、太陽光発電パネル４２９の発電電力を第１内部１０４の温度調整などに利用することができるので、省エネルギー化を図ることが可能になる。
【０１１１】
また、本変形例のように、発電パネル取付部４３０を磁力で取り付けることで、極めて容易に発電パネル取付部４３０を着脱することが可能になる。発電パネル取付部４３０の取り外しが容易なことは、ビニールシート１０７を取り換える際などに極めて有用である。
【０１１２】
＜実施の形態２＞
実施の形態１では、ビニールハウス１００が、１組の第１側壁１０１、第１屋根１０２及び第１頂部１０３から構成される例を説明した。本実施の形態では、ビニールハウスが、実施の形態１と概ね同様のビニールハウス１００を１つのユニットとして、内部が連続的に接続された複数のユニットから構成される例を説明する。
【０１１３】
（実施の形態２に係るビニールハウス５００の構成）
本実施の形態に係るビニールハウス５００は、図１０〜１２に示すように、上方から見て共通の弦を形成するように一部が重なり合って配置される２つのユニットから構成される。本実施の形態では概ね前後対称な構成を備える２つのユニットが前後方向に接続しており、以下に説明するように、各ユニットが概ね実施の形態１に係るビニールハウス１００と同様の構成を備える。
【０１１４】
ここで、図１０は、本実施の形態に係るビニールハウス５００の平面図である。図１１は、図１０のＸＩ−ＸＩ線における断面図である。図１２は、図１０のＸＩＩ−ＸＩＩ線における断面図である。
【０１１５】
ビニールハウス５００は、骨組み５０６と、ビニールシート５０７と、第１ドア５０８ａと、第２ドア５０８ｂとを備える。
【０１１６】
骨組み５０６は、実施の形態１に係る骨組み１０６と同様に、ビニールハウス用骨組みであってビニールハウス５００の基礎的な構造をなす。骨組み５０６は、第１骨組みユニット５３１ａと、第２骨組みユニット５３１ｂと、連通部５３２とを含む。
【０１１７】
第１骨組みユニット５３１ａは、概ね、第１ドア枠部５０９ａと、複数の第１側壁骨組み部５１０ａと、複数の第１屋根骨組み部５１１ａと、第１開口を形成する第１換気部５１９ａを含む第１頂部構造体５１２ａと、第１散水パイプ５１３ａとを備える。
【０１１８】
複数の第１側壁骨組み部５１０ａを除く第１骨組みユニット５３１ａの各要素は、実施の形態１の対応するものと同様に構成される。
【０１１９】
すなわち、第１ドア枠部５０９ａ、複数の第１屋根骨組み部５１１ａ、第１開口を形成する第１換気部５１９ａを含む第１頂部構造体５１２ａ、第１散水パイプ５１３ａは、それぞれ、実施の形態１に係る第１ドア枠部１０９、複数の第１屋根骨組み部１１１、第１開口を形成する第１換気部１１９を含む第１頂部構造体１１２、第１散水パイプ１１３と同様に構成されるとよい。
【０１２０】
複数の第１側壁骨組み部５１０ａは、詳細後述する連通部５３２を設けるための構成を除いて実施の形態１に係る複数の第１側壁骨組み部１１０と概ね同様に構成される。
【０１２１】
本実施の形態に係る複数の第１側壁骨組み部５１０ａでは、連通部５３２を設けるために、後方に配置される太い第１側壁骨組み部５１０ａが連通部５３２の上辺部（上部）から上方に延びている。
【０１２２】
言い換えると、後方に配置される太い第１側壁骨組み部５１０ａは、予め定められた高さから下方には設けられていない。これによって、後方に配置される太い第１側壁骨組み部５１０ａの左右に配置された第１側壁骨組み部５１０ａの間に、連通部５３２を設けるための空間（開口）が形成される。そして、連通部５３２を設けるための開口を形成する第１側壁骨組み部５１０ａは、第２骨組みユニット５３１ｂとの接続部分（上方から見て上述の弦として表れる箇所に対応する部分）となる。
【０１２３】
第２骨組みユニット５３１ｂは、上述した第１骨組みユニット５３１ａと概ね前後対称の構成を備える。
【０１２４】
すなわち、第２骨組みユニット５３１ｂは、上述した第１骨組みユニット５３１ａの第１ドア枠部５０９ａ、複数の第１側壁骨組み部５１０ａ、複数の第１屋根骨組み部５１１ａ、第１開口を形成する第１換気部５１９ａを含む第１頂部構造体５１２ａ、第１散水パイプ５１３ａを、それぞれ、第２ドア枠部５０９ｂ、複数の第２側壁骨組み部５１０ｂ、複数の第２屋根骨組み部５１１ｂ、第２開口を形成する第２換気部５１９ｂを含む第２頂部構造体５１２ｂ、第２散水パイプ５１３ｂに置き換え、概ね前後対称に配置した構成を備える。
【０１２５】
詳細には、複数の第２側壁骨組み部５１０ｂは、詳細後述する連通部５３２を設けるための構成を除いて実施の形態１に係る複数の第１側壁骨組み部１１０と概ね同様に構成される。
【０１２６】
本実施の形態に係る複数の第２側壁骨組み部５１０ｂでは、連通部５３２を設けるために、前方に配置される太い第２側壁骨組み部５１０ｂが連通部５３２の上辺部（上部）から上方に延びている。
【０１２７】
言い換えると、前方に配置される太い第２側壁骨組み部５１０ｂは、予め定められた高さから下方には設けられていない。これによって、前方に配置される太い第２側壁骨組み部５１０ｂの左右に配置された第２側壁骨組み部５１０ｂの間に、連通部５３２を設けるための空間（開口）が形成される。そして、連通部５３２を設けるための開口を形成する第２側壁骨組み部５１０ｂは、第１骨組みユニット５３１ａとの接続部分（上方から見て上述の弦として表れる箇所に対応する部分）となる。
【０１２８】
ここで、ユニットの接続部分となる第１側壁骨組み部５１０ａと第２側壁骨組み部５１０ｂとは、前後方向に接触又は近接して設けられている。近接とは、予め定められた距離以内にあることを意味する。接続部分となる第１側壁骨組み部５１０ａと第２側壁骨組み部５１０ｂとは、締結具などで互いに締結されていてもよく、締結されていなくてもよい。
【０１２９】
連通部５３２は、第１内部５０４ａと第２内部５０４ｂとを連通する連通口を形成する。
【０１３０】
ここで、第１内部５０４ａは第１骨組みユニット５３１ａの内部の空間であり、第２内部５０４ｂは第２骨組みユニット５３１ｂの内部の空間である。すなわち、第１内部５０４ａと第２内部５０４ｂとの各々が、実施の形態１に係る第１内部１０４に相当する。
【０１３１】
連通口は、出入り口と同様に、ビニールハウス５００の内部で人が移動するだけでなく、農具、農業用機械なども移動させるためのものであるので、これらが通過可能な適宜の大きさで設けられるとよい。
【０１３２】
連通部５３２は、実施の形態１に係る第１ドア枠部１０９と概ね同様に構成されればよい。すなわち、連通部５３２は、例えば概ね矩形をなす部材から構成され、当該矩形の部位から下方に延びる脚部（図示せず）が設置面Ｐに埋められて固定されるとよい。
【０１３３】
連通部５３２は、接続部分となる第１側壁骨組み部５１０ａの間の開口と第２側壁骨組み部５１０ｂの間の開口とに嵌め込まれている。連通部５３２は、接続部分となる第１側壁骨組み部５１０ａ及び第２側壁骨組み部５１０ｂに締結具によって固定されもてよい。
【０１３４】
連通部５３２には、上辺部から垂れ下がって連通口を開閉可能に塞ぐスリットカーテン５３３が設けられる。スリットカーテン５３３は、予め定められた高さから下端まで上下方向に延びる複数のスリットが設けられた樹脂シートから構成されるカーテンであり、断熱性を備えるために厚さを有する。このようなスリットカーテン５３３を設けることによって、第１内部５０４ａと第２内部５０４ｂとの間の断熱を図ることができる。また、スリットカーテン５３３にはスリットが設けられているので、人、農具、農業用機械などが連通口を通過することをほぼ阻害しない。従って、第１内部５０４ａと第２内部５０４ｂとの間の移動をほぼ阻害せずに、各内部５０４ａ，５０４ｂの温度などを個別に容易に管理することが容易になる。
【０１３５】
ビニールシート５０７は、第１シートユニット５３４ａと第２シートユニット５３４ｂとを含む。
【０１３６】
第１シートユニット５３４ａは、第１側壁シート５２２ａと、第１屋根シート５２３ａと、第１頂部シート５２４ａとを含む。
【０１３７】
第１側壁シート５２２ａは、第１骨組みユニット５３１ａと第２骨組みユニット５３１ｂとの接続部分に対応する箇所が切り欠かれており、この点を除いて実施の形態１に係る第１側壁シート１２２と同様に構成されるとよい。
【０１３８】
第１屋根シート５２３ａと第１頂部シート５２４ａとは、それぞれ、実施の形態１に係る第１屋根シート１２３と第１頂部シート１２４と同様に構成されるとよい。
【０１３９】
第２シートユニット５３４ｂは、第１シートユニット５３４ａと概ね前後対称の構成を備える。すなわち、第２シートユニット５３４ｂは、上述した第１シートユニット５３４ａの第１側壁シート５２２ａ、第１屋根シート５２３ａ、第１頂部シート５２４ａを、それぞれ、第２側壁シート５２２ｂ、第２屋根シート５２３ｂ、第２頂部シート５２４ｂに置き換え、概ね前後対称に配置した構成を備える。
【０１４０】
そして、第１骨組みユニット５３１ａと第２骨組みユニット５３１ｂとの接続部分の周囲では、第１側壁シート５２２ａと第２側壁シート５２２ｂとが接続され、第１屋根シート５２３ａと第２屋根シート５２３ｂとが接続されている。これらのシート５２２ａ及び５２２ｂ、５２３ａ及び５２３ｂの接続には、接着剤による接着、融着などが採用されるとよい。
【０１４１】
第１ドア５０８ａと第２ドア５０８ｂとは、実施の形態１に係る第１ドア１０８と同様に、第１ドア枠部５０９ａと第２ドア枠部５０９ｂとのそれぞれに嵌め込まれ、蝶番などで開閉可能に取り付けられるドアである。
【０１４２】
（実施の形態２に係るビニールハウスの設置方法）
本実施の形態に係るビニールハウスの設置方法は、実施の形態１と同様にビニールハウスを設置するための方法であって、図１３Ａにその流れの一例を示す。
【０１４３】
本実施の形態において、例えばビニールハウス５００の構成部材が準備され、設置面Ｐに第１骨組みユニット５３１ａと第２骨組みユニット５３１ｂとの各々を設置するための円周が決定された後に、ビニールハウスの設置方法が開始される点は、実施の形態１と同様である。ここで決定される円周は、上方から見て、接続部分の長さに対応して予め定められた長さの弦を共通に有するように一部が重なり合う。
【０１４４】
図１３Ａに示すように、骨組み５０６が設置面Ｐに設置される（工程２１）。
【０１４５】
骨組み設置工程（工程２１）の流れの詳細を図１３Ｂに示す。同図に示すように、工程２１は、工程２１１〜２１５を含む。
【０１４６】
工程２１１では、複数の第１側壁骨組み部５１０ａと、複数の第１屋根骨組み部５１１ａと、複数の第２側壁骨組み部５１０ｂと、複数の第２屋根骨組み部５１１ｂとが設置される。工程２１２では、第１頂部構造体５１２ａと第２頂部構造体５１２ｂとが設置される。工程２１３では、第１ドア枠部５０９ａと第２ドア枠部５０９ｂとが取り付けられる。工程２１４では、第１散水パイプ５１３ａと第２散水パイプ５１３ｂとが取り付けられる。
【０１４７】
工程２１１〜２１４のそれぞれは、実施の形態１に係る骨組み１０６を組む立てるための工程１１１〜１１４を、第１骨組みユニット５３１ａと第２骨組みユニット５３１ｂとの各々を組み立てるために適用したものと同様である。説明を簡明にするため、工程２１１〜２１４に関する詳細な説明は省略する。
【０１４８】
工程２１５では、連通部５３２及びスリットカーテン５３３が取り付けられる。
【０１４９】
詳細には、連通部５３２は、第１骨組みユニット５３１ａと第２骨組みユニット５３１ｂとの接続部分に形成されるそれぞれの開口に共通で嵌め込まれて、設置面Ｐに固定される。そして、連通部５３２は、適宜、開口を形成する第１側壁骨組み部５１０ａ及び第２側壁骨組み部５１０ｂなどに締結具によって固定される。
【０１５０】
スリットカーテン５３３は、連通部５３２の上辺部から垂れ下がるように、連通部５３２に開閉可能に取り付けられる。スリットカーテン５３３の取り付けには、一般的にスリットカーテンを取り付けるための取付具が用いられてもよい。
【０１５１】
図１３Ａに示すように、工程２１にて設置された骨組み５０６にビニールシート５０７が取り付けられる（工程２２）。
【０１５２】
詳細には、第１頂部シート５２４ａ、第１屋根シート５２３ａ、第１側壁シート５２２ａが、それぞれ、第１頂部構造体５１２ａ、複数の第１屋根骨組み部５１１ａ、複数の第１側壁骨組み部５１０ａに取付られる。また、第２頂部シート５２４ｂ、第２屋根シート５２３ｂ、第２側壁シート５２２ｂが、それぞれ、第２頂部構造体５１２ｂ、複数の第２屋根骨組み部５１１ｂ、複数の第２側壁骨組み部５１０ｂに取付られる。これらの各シート５２２ａ，５２３ａ，５２４ａ，５２２ｂ，５２３ｂ，５２４ｂを取り付ける順序は適宜変更されてもよい。
【０１５３】
そして、第１骨組みユニット５３１ａと第２骨組みユニット５３１ｂとの接続部分の周囲で、第１屋根シート５２３ａ及び第２屋根シート５２３ｂと、第１側壁シート５２２ａ及び第２側壁シート５２２ｂとが溶着などの適宜の方法で接続される。
【０１５４】
工程２１にて設置された骨組み５０６に第１ドア５０８ａ及び第２ドア５０８ｂの各々が取り付けられる（工程２３）。詳細には、第１ドア５０８ａは、第１ドア枠部５０９ａに嵌め込まれ、第１ドア枠部５０９ａの左辺部又は右辺部に蝶番などで開閉可能に取り付けられる。第２ドア５０８ｂは、第２ドア枠部５０９ｂに嵌め込まれ、第２ドア枠部５０９ｂの左辺部又は右辺部に蝶番などで開閉可能に取り付けられる。
【０１５５】
なお、本実施の形態に係るビニールハウス５００には、出入り口は１つ設けられていれば、そこから第１内部５０４ａ及び第２内部５０４ｂに出入りすることができるので、出入り口は少なくとも１つ設けられればよい。すなわち、本実施の形態では、第１ドア枠部５０９ａ及び第１ドア５０８ａと、第２ドア枠部５０９ｂ及び第２ドア５０８ｂとのいずれか一方の組みが設けられなくてもよい。
【０１５６】
これにより、ビニールハウス５００が設置面Ｐに設置される。例えば、第１内部５０４ａの設置面Ｐには複数の同心環状の畝Ｑ１〜Ｑ３が設けられ、第２内部５０４ｂの設置面Ｐには例えば複数の環状の畝Ｑ４〜Ｑ６が設けられ、それぞれで作物などが栽培される（図１１の断面図参照）。
【０１５７】
このように、概ね、実施の形態１に係るビニールハウス１００と概ね同様の工程を繰り返すことでビニールハウス５００を構成する各ユニットを容易に設置することができる。そして、接続部分に連通部５３２を取り付け、接続部分の周囲でシート５２２ａ，５２３ａ，５２２ｂ，５２３ｂを接続することで、ビニールハウス５００を構成するユニットを連続的に接続することができる。従って、複数のユニットから構成されるビニールハウス５００を容易に設置することが可能になる。
【０１５８】
これまで、本発明の実施の形態２について説明した。
【０１５９】
例えば一般的な棟方向に長いビニールハウスでは、内部の空間及び地面が概ね棟方向に長く連続している。このようなビニールハウスで、例えば複数種の作物を栽培する場合、内部の空間及び地面が連続しているため、互いの影響を受け易く、作物ごとの温度管理、肥料の管理、土壌の管理などが困難である。
【０１６０】
土壌の管理について一例を挙げると、連作障害を防ぐために一部の土地を休ませることがある。しかし、残部で作物を栽培すると、その栽培による影響が休耕部分に及び、その結果、休耕部分の土地を十分に休ませることができず、連作障害を防ぐことが困難なこともある。
【０１６１】
本実施の形態によれば、内部５０４ａ，５０４ｂが区画されたビニールハウス５００を提供することができる。内部５０４ａ，５０４ｂの土地及び空間は、連通部５３２を通じて接続するだけで、その他の部分では離間している。そのため、異なる内部５０４ａ，５０４ｂの間で互いの影響をほとんど受けずに、作物ごとの温度管理、肥料の管理、土壌の管理などを容易に行うことができる。土壌の管理に関して上述した連作障害で言えば、内部５０４ａ，５０４ｂの一方で作物を栽培する影響は内部５０４ａ，５０４ｂの他方に及び難いので、内部５０４ａ，５０４ｂの一方の土地を休耕させた場合、当該休耕部分の土地を十分に休ませることができる。そのため、連作弊害を容易に防ぐことが可能になる。
【０１６２】
また、内部５０４ａ，５０４ｂは連通部５３２を通じて連通しているので、内部５０４ａ，５０４ｂのそれぞれに第１ドア５０８ａ及び第２ドア５０８ｂを通じて出入りする必要がなく、作業者は内部５０４ａ，５０４ｂの間を容易に移動することができる。また、農具、農業用機械なども、内部５０４ａ，５０４ｂの間で容易に移動させることができる。すなわち、内部５０４ａ，５０４ｂを区画しながら、作業性の低下を防ぐことができる。
【０１６３】
従って、作業性の低下を防ぎつつ、複数種の作物を容易に栽培することが可能になる。
【０１６４】
これまで実施の形態２について説明したが、実施の形態２は次のように変形されてもよい。
【０１６５】
例えば、複数のユニットが連設される方向は、前後方向に限られず、適宜の方向で連設されてもよい。
【０１６６】
（変形例４）
実施の形態２では、２つのユニットが連通部５３２を介して連通するように設けられたビニールハウス５００（或いは骨組み５０６）の例を説明した。しかし、ビニールハウス６００（或いは骨組み）において連設されるユニットの数は、例えば図１４の平面図に示すように、３つ以上であってもよい。なお、図１４において点線は各ユニットの接続部分を示す。
【０１６７】
この場合も、実施の形態２と同様に、骨組みユニット間の接続部分に連通部５３２を設けることによって、各ユニット（或いは、骨組みユニット）の内部を連続的に接続することができる。また、実施の形態１と同様の第１ドア１０８は、適宜の骨組みユニットに設けられるとよい。
【０１６８】
従来の棟方向に長いビニールハウスでは、図１４に例示するような複雑な形状の設置面Ｐの場合、同図に二点鎖線で示すように複数のビニールハウスを設置することが困難となり、設置面積（ビニールハウス内の設置面Ｐの面積）が狭くなってしまうことがある。
【０１６９】
本変形例に係る各ユニットは上方から見て円形であるので、図１４に例示するように設置面Ｐが複雑な形状をしている場合であっても、多数のユニット（或いは、骨組みユニット）を連設することができ、設置面積を従来よりも広くすることができる。従って、設置面Ｐが複雑な形状をしている場合であっても、その設置面Ｐを有効に利用してビニールハウス６００を設置することが可能になる。なお、このような効果は、各ユニットが上方から見て楕円形の場合も同様である。また、本変形例では大きさと上方から見た形状が同じユニットが連設される例を示すが、大きさと上方から見た形状（円又は楕円）の一方又は両方が異なるユニットが混在して連設されてもよく、この場合も本変形例と同様の効果を奏する。
【０１７０】
以上、本発明の実施の形態及び変形例について説明したが、本発明は、これらに限られるものではない。例えば、本発明は、これまで説明した実施の形態及び変形例の一部又は全部を適宜組み合わせた形態、それらの形態に適宜変更を加えた形態を含む。
【符号の説明】
【０１７１】
１００，３００，４００，５００，６００  ビニールハウス、１０１  第１側壁、１０２  第１屋根、１０３  第１頂部、１０４，５０４ａ  第１内部、１０５  外部、１０６，３０６，５０６  骨組み、１０７，５０７  ビニールシート、１０８，５０８ａ  第１ドア、１０９，５０９ａ  第１ドア枠部、１１０，５１０ａ  第１側壁骨組み部、１１１，５１１ａ  第１屋根骨組み部、１１２，２１２，５１２ａ  第１頂部構造体、１１３，５１３ａ  第１散水パイプ、１１４  補強バンド部、１１５，２１５  胴部、１１６  頂部骨組み部、１１７  換気補助骨組み部、１１８  挿設孔部、１１９，２１９，５１９ａ  第１換気部、１２０  ピン、１２１  散水口、１２２，５２２ａ  第１側壁シート、１２３，５２３ａ  第１屋根シート、１２４，５２４ａ  第１頂部シート、２２５  蓋部、２２６  支持部材、２２７  蝶番、３２８  棚部材、４２９  太陽光発電パネル、４３０  発電パネル取付部、５０４ｂ  第２内部、５０８ｂ  第２ドア、５０９ｂ  第２ドア枠部、５１０ｂ  第２側壁骨組み部、５１１ｂ  第２屋根骨組み部、５１２ｂ  第２頂部構造体、５１３ｂ  第２散水パイプ、５１９ｂ  第２換気部、５２２ｂ  第２側壁シート、５２３ｂ  第２屋根シート、５２４ｂ  第２頂部シート、５３１ａ  第１骨組みユニット、５３１ｂ  第２骨組みユニット、５３２  連通部、５３３  スリットカーテン、５３４ａ  第１シートユニット、５３４ｂ  第２シートユニット
【図１】
2020130127.tif 000003
【図２】
2020130127.tif 000004
【図３】
2020130127.tif 000005
【図４】
2020130127.tif 000006
【図５】
2020130127.tif 000007
【図６Ａ】
2020130127.tif 000008
【図６Ｂ】
2020130127.tif 000009
【図７】
2020130127.tif 000010
【図８】
2020130127.tif 000011
【図９】
2020130127.tif 000012
【図１０】
2020130127.tif 000013
【図１１】
2020130127.tif 000014
【図１２】
2020130127.tif 000015
【図１３Ａ】
2020130127.tif 000016
【図１３Ｂ】
2020130127.tif 000017
【図１４】
2020130127.tif 000018